(57)【要約】      （修正有）【課題】乳幼児と避難するときに必要なものを入れる物入を有し、着用状態に物入の嵩張りが抑制され、避難時にも普段の使用時にも使いやすい抱っこ紐を提供する。【解決手段】抱っこ紐は、本体部１と物入２とを一体に備え、本体部は、背あて１ａと、尻あて１ｂと、肩ベルト１ｃと、腰ベルト１ｄとを一体に備え、物入は、容体２ａと、容体を開閉する蓋体２ｂとを有して尻あて直下に配置されると共に、容体の側部が腰ベルトに固着されている。【選択図】図２
0003222667.tif 000002
【実用新案登録請求の範囲】
【請求項１】
本体部と物入とを一体に備え、本体部は、背あてと、尻あてと、肩ベルトと、腰ベルトとを一体に備え、物入は、容体と、容体を開閉する蓋体とを有して尻あて直下に配置されていると共に、容体の側部が腰ベルトに固着されていることを特徴とする抱っこ紐。
【請求項２】
背あて又は尻あてと物入とを繋ぐように設けられた吊りベルトを備え、吊りベルトは、一端が背あて又は尻あてに固着され、他端に容体に設けられた被係合部に係合する係合部が備えられていることを特徴とする請求項１に記載の抱っこ紐。
【請求項３】
折畳まれた本体部の折畳み状態を保持する保持部が備えられていることを特徴とする請求項１又は２に記載の抱っこ紐。
【請求項４】
肩ベルトを一本とし、肩ベルトの両端が、本体部の上下方向の中心線を境として左右に振り分けて本体部に固着されていることを特徴とする請求項１乃至３いずれか１項に記載の抱っこ紐。
【考案の詳細な説明】
【技術分野】
【０００１】
本考案は、抱っこ紐に関する。
【背景技術】
【０００２】
抱っこ紐は、下記特許文献１に記載されているように、物入を備えたものが知られており、乳幼児を抱きかかえた状態で、物入に対して物を出し入れできるようにされている。
【先行技術文献】
【特許文献】
【０００３】
【特許文献１】実用新案登録第３２１９７０２号公報
【考案の概要】
【考案が解決しようとする課題】
【０００４】
ところで、災害時において乳幼児と避難する際には、薬や懐中電灯等のような一般的なものばかりでなく、乳幼児に必要なミルク、離乳食、紙おむつ等もある程度必要である。このため、着用者の両手が使える抱っこ紐を使用することが好適である。また、災害時における避難は、危険が多いため両手を空けて使えるようにすることが好ましく、できれば、手で持つバッグを使用せずに抱っこ紐だけで避難するのが最適である。
【０００５】
しかしながら、特許文献１に記載されているような従来の抱っこ紐は、災害時に乳幼児と非難するときに、前述の避難時に必要なものを入れることに対して想定されてない。そのため、従来の抱っこ紐に避難時に必要なものを入れることができる物入を備えることが考えられるが、物入の大きさから抱っこ紐の着用時において物入が嵩張り、避難時に邪魔になってしまうばかりでなく、普段の抱っこ紐の使用時において邪魔なものになってしまう。
【０００６】
そのため、抱っこ紐だけで、乳幼児と非難するときに必要なものを入れることが物入を有した上で、着用状態における物入の嵩張りが抑制され、避難時にも普段の使用時にも使いやすい抱っこ紐が求められている。
【課題を解決するための手段】
【０００７】
前述の課題を解決するために本考案の抱っこ紐は、本体部と物入とを一体に備え、本体部は、背あてと、尻あてと、肩ベルトと、腰ベルトとを一体に備え、物入は、容体と、容体を開閉する蓋体とを有して尻あて直下に配置されていると共に、容体の側部が腰ベルトに固着されていることを特徴とする。
【０００８】
また、抱っこ紐は、背あて又は尻あてと物入とを繋ぐように設けられた吊りベルトを備え、吊りベルトは、一端が背あて又は尻あてに固着され、他端に容体に設けられた被係合部に係合する係合部が備えられていることが好ましい。
【０００９】
また、抱っこ紐は、折畳まれた本体部の折畳み状態を保持する保持部が備えられていることを特徴とする。
【００１０】
また、抱っこ紐は、肩ベルトを一本とし、肩ベルトの両端が、本体部の上下方向の中心線を境として左右に振り分けて本体部に固着されていることを特徴とする。
【図面の簡単な説明】
【００１１】
【図１】本考案に係る実施形態の抱っこ紐の使用状態図である。
【図２】図１の（２）-（２）線断面図である。
【図３】着用状態において本体部を折り畳んだ状態の正面図である。
【図４】図３の（４）-（４）線断面図である。
【考案を実施するための形態】
【００１２】
以下、本考案に係る実施形態の抱っこ紐Ａを図１〜図４を参照して説明する。
【００１３】
抱っこ紐Ａは、図１および図２に示すように、着用者Ｂの前方(胸側)で乳幼児Ｃを抱きかかえるように着用するものである。抱っこ紐Ａは、背あて１ａと、尻あて１ｂと、肩ベルト１ｃと、腰ベルト１ｄとを一体に備えた本体部１と、尻あて１ｂ直下に配置された物入２と、尻あて１ｂと物入２とを繋ぐように設けられた吊りベルト３と、折畳まれた本体部１の折畳み状態を保持する保持部４とを備えている。
【００１４】
本体部１は、折畳み自在な柔軟性を有しており、図３および図４に示すように抱っこ紐Ａの着用状態において、腰ベルト１ｄを除く本体部１を折り畳むことができるようにされている。折り畳まれた本体部１は、保持部４によって折畳み状態が保持されて、物入２の上部に載置した状態にできる。このとき、吊りベルト３によって載置状態が保持される。すなわち、本体部１を折り畳むと共に、本体部１の折り畳み状態を保持し、且つ物入２の上部に対する本体部１の載置状態を保持することで、抱っこ紐Ａをウエストポーチとして着用できるようにされている。
【００１５】
肩ベルト１ｃは、図１に示すように一本であり、肩ベルト１ｃの両端を、本体部１の上下方向の中心線１０を境として左右に振り分けて本体部１に固着されており、肩ベルト１ｃを袈裟掛けにした際に、本体部１および物入２が、着用者Ｂの胸部Ｂ１の正面から着用者Ｂの腕Ｂ２方向へずれるように位置するようにされている。すなわち、肩ベルト１ｃを袈裟掛けにすることによって、乳幼児Ｃの位置を腕Ｂ２に近づけることができ、これによって、避難時において、着用者Ｂが片側の腕Ｂ２で乳幼児Ｃを支えることができると共に、前方および下方の視界を確保することができるため、より安全に避難することができる。肩ベルト１ｃは、着用者Ｂの首にかけて、乳幼児Ｃを抱きかかえることもできる（図示せず）。
【００１６】
物入２は、図１〜図４に示すように、下側に容体２ａを備えていると共に、上側に蓋体２ｂを備えて立方体形状に形成されており、容体２ａに対して蓋体２ｂがチャック２ｃによって開閉するようにされている。容体２ａは、側部が腰ベルト１ｄに固着されている。蓋体２ｂは、図１および図２に示すように、上面部２０ｂが平らにされていると共に、抱きかかえられた乳幼児Ｃの尻が尻あて１ｂを介して乗るようにされている。このとき、吊りベルト３によって、本体部１と物入２とを繋ぐことで、物入２の垂れ下がりを防止することができる。これによって、抱きかかえられた乳幼児Ｃを物入２で支えることができると共に、本体部１と物入２とを一体化することができる。したがって、避難時に乳幼児Ｃを安定よく抱きかかえることができると共に、歩行時の物入２の揺れを抑えて安定性を保持することができるので、避難時における着用者Ｂの歩行の安全性を高めることができる。
【００１７】
また、図１および図２に示すように、物入２を尻あて１ｂの直下という、元々、着用者Ｂの視界から外れているデッドスペースとなる部位に配置しているため、物入２を大型化することができる。したがって、物入２を大型化することができるので、乳幼児Ｃを抱きかかえて避難するときに必要な物を多く収納することができる。
【００１８】
吊りベルト３は、図１および図３に示すように、背あて１ａと尻あて１ｂの境部付近に設けられた上側ベルト３ａと、物入２と腰ベルト１ｄの境部に設けられた下側ベルト３ｂとを一対とするものであり、この吊りベルト３が左右に２か所設けられている。上側ベルト３ａと下側ベルト３ｂとは、係脱自在な一対の連結具３ｃが備えられており、この連結具３ｃを係脱することで、折り畳まれた本体部１の物入２に対する保持および保持解除を行うと共に、本体部１に対する物入２の保持および保持解除を行うことができる。
【００１９】
保持部４は、帯状のゴムベルトであり、図１〜図４に示すように、一端が背あて１ａと尻あて１ｂとの境部付近に固着されている。また、保持部４の他端と腰ベルト１ｄの裏側とにわたるように一対のホック（係合部・被係合部）４ａが設けられており、腰ベルト１ｄを除いて折り畳まれた本体部１に保持部４を巻き付けると共に、ホック４ａを係合することによって、本体部１の折畳み状態を保持することができる。また、保持部４には、保持部４の両端にわたるように一対のホック（係合部・被係合部）４ｂが設けられており、不使用時には保持部４を環状にしてホック４ｂを係合させることで、保持部４を長さを短くして仕舞うようにされている。ホック４ａおよびホック４ｂの保持部４の他端側の部材は共通するものである。
【００２０】
以上のように本実施形態の抱っこ紐Ａは、抱っこ紐Ａだけで、乳幼児Ｃと非難するときに必要なものを入れることが物入２を有した上で、着用状態における物入２の嵩張りが抑制され、避難時にも普段の使用時にも使いやすいものにすることができる。
【００２１】
本考案における抱っこ紐Ａは、吊りベルト３および／又は保持部４を備えていない形態も含まれ、このような抱っこ紐Ａによっても、乳幼児Ｃと非難するときに必要なものを入れることが物入２を有した上で、着用状態における物入２の嵩張りが抑制され、避難時にも普段の使用時にも使いやすいものにすることができる。
【００２２】
以上、本考案に係る実施形態の抱っこ紐Ａを、図面を参照して詳述してきたが、具体的な構成は、これらの実施の形態に限られるものではなく、本発明の要旨を逸脱しない範囲の設計の変更等があっても本発明に含まれる。
【００２３】
また、前述の各実施形態は、その目的および構成等に特に矛盾や問題がない限り、互いの技術を流用して組み合わせることが可能である。
【符号の説明】
【００２４】
Ａ：抱っこ紐
１：本体部
２：物入
１ａ：背あて
１ｂ：尻あて
１ｃ：肩ベルト
１ｄ：腰ベルト
１０：中心線
２ａ：容体
２ｂ：蓋体
３：吊りベルト
４：保持部
【図１】
0003222667.tif 000003
【図２】
0003222667.tif 000004
【図３】
0003222667.tif 000005
【図４】
0003222667.tif 000006